(57)【要約】【課題】  複数の電線又はこれに連結された端子同士を容易に電気的に導通させることができ、感電や短絡等の事故による機器の故障を防止することのできる配線具を提供する。【解決手段】  配線具１は、各々電線に連結された複数の端子を接続することにより該端子間を電気的に導通させる複数の導電部２１ａ〜２１ｃと、絶縁材料で形成され、導電部をその中に設置する箱体８と、絶縁材料で形成され、導電部を設置した箱体を覆う蓋体９とを有する。【選択図】  図２
2007194534.tif 000002
【特許請求の範囲】
【請求項１】
各々電線に連結された複数の端子を接続することにより該端子間を電気的に導通させる複数の導電部と、
絶縁材料で形成され、前記導電部を収納する箱体と、
絶縁材料で形成され、前記箱体の開口部を覆う蓋体と
を有することを特徴とする配線具。
【請求項２】
請求項１記載の配線具において、
前記蓋体は透視可能な材料から成ることを特徴とする配線具。
【請求項３】
請求項１又は２記載の配線具において、前記蓋体は、前記端子を前記導電部に接続するための貫通孔を有することを特徴とする配線具。
【請求項４】
請求項１乃至３のいずれか記載の配線具において、前記箱体は、前記端子を前記導電部に接続するための貫通孔を有することを特徴とする配線具。
【請求項５】
請求項１乃至４のいずれか記載の配線具において、前記電線は、ブレーカ等の充電部に接続される電線及び複数の電力量計に接続される電線であることを特徴とする配線具。
【請求項６】
請求項１乃至５のいずれか記載の配線具において、前記導電部は、一次側部分、二次側部分、及び前記一次側部分と前記二次側部分を接続するヒューズを有することを特徴とする配線具。
【発明の詳細な説明】
【技術分野】
【０００１】
本発明は、複数の電線又はこれに連結された端子同士を電気的に導通させる配線具に関する。更に詳細には、ブレーカ等の充電部に電力量計を安全に取り付けることができる配線具に関する。
【背景技術】
【０００２】
一般に、住宅や工場等の電力需要施設では、使用した電力を計量する電力量計が設置されており、計量した電力量に応じた電力料金が毎月算出される。電力料金は、計量された電力量に比例して一律に決まるものではなく、各電力需要施設において所定時間内に計量された電力量の最大値に基づいて設定される基本料金と、基本料金毎に定められる課金率を電力量に乗じて得た従量料金との和からなる。基本料金の設定基準である所定時間内に計量された電力量は、デマンド値と呼ばれており、１年間（例えば、３６５日）を３０分毎に１７，５２０個の期間に分割し、各期間ごとに計量される電力量の平均値のうちの最大値のことである。
【０００３】
従って、電力需要施設においては、デマンド値を下げることができれば、電力料金の算出基準である基本料金及び課金率を低減してコスト削減を図ることができる。また、電力事業者においては、デマンド値に基づいて、即ち発電量の最大値に合わせて発電設備を配備し、これを運転するため、デマンド値の低減は、発電設備に掛かるコストや発電に伴う二酸化炭素等の温暖化ガスの排出量を低減することができる。
【０００４】
しかしながら、デマンド値に基づいて一旦基本料金が設定されると、その後一年間は基本料金を変更することができないため、電力料金の低減を希望する電力需要施設では、電力の使用量が多くなる時間帯に効率的に省電力化を図るため、電力使用量の推移を監視している。これは、電力会社等の電力事業者がサービスとして提供する場合もある。
【０００５】
従来、電力使用量の推移を監視する場合には、例えば、図６に示すように、携帯型の電力量計３ａ，３ｂ，３ｃを使用して、分電盤（図示省略）内に配置された複数のブレーカ２ａ，２ｂ，２ｃを流れる電流、及び負荷側へ電力を供給する３本の電線１２のうち２本の電線間で電位差を測定し、電力使用量の推移及び電力量を求めて記録する。
【０００６】
具体的には、電力量計３ａ〜３ｃには、それぞれ３本の電圧測定用コード７ａ〜７ｃ及び２本の電流測定用コード１７が接続される。各電圧測定用コード７ａ〜７ｃの一端には、クリップ１４が連結され、負荷側へ電力を供給する電線１２をブレーカ２ａ，２ｂ，２ｃに固定しているボルト１３の頭部をクリップ１４で挟むことにより、負荷側の電線１２に接続される。電流測定用コード１７の一端には、電線内を流れる電流を非接触で測定可能なクランプメータ１８が連結されている。クランプメータ１８は、負荷側の３本の電線１２のうち２本の電線に流れる電流を測定するのに用いられる。そして、電力量計３ａ〜３ｃは、測定した電圧値及び電流値に基づいて電力使用量の推移を記録する。
【０００７】
また、電力量計３ａ〜３ｃは、求めた電力量を画面上に表示することができるとともに、本体に内蔵されたメモリに蓄積される構造となっている。これにより、電力使用量の推移を所定期間（例えば、１０日間）記録した後、そのデータをコンピュータに送信することにより、電力使用量の多い時間帯を確認するグラフ等の資料を作成することができ、効率的な省電力化を図るために利用することができる。
【０００８】
下記特許文献１には、ブレーカ等の端子台に電力量計等の測定器を取り付ける場合、端子台に電線を固定しているネジ又はボルトをクリップで掴むだけではクリップが外れ易いという課題を解決するため、電線を挟んで固定する電線挟み部材と、この電線挟み部材に端子台に向けて付勢した長尺の接続端子を設けた端子が記載されている。
【０００９】
【特許文献１】特開平１１−３１５４６号公報
【発明の開示】
【発明が解決しようとする課題】
【００１０】
しかしながら、一般に、ブレーカに接続される電線同士の間隔は非常に狭いため、前記特許文献に記載の端子を各電線に取り付けるのは困難であるとともに、ブレーカの充電部近くで配線が煩雑になり、短絡させてしまうおそれがある。
【００１１】
また、図６に示した電力使用量の推移を監視する従来の方法においても、ブレーカに電線を固定しているボルト同士の間隔が非常に狭いうえに、全てのボルトをクリップでそれぞれ挟むことにより配線が煩雑になり、誤ってクリップ同士で短絡させてしまうおそれがある。
【００１２】
本発明は、上記事情に鑑み、複数の電線又はこれに連結された端子同士を容易に電気的に導通させることができ、感電や短絡等の事故による機器の故障を防止することのできる配線具を提供することを目的とする。
【課題を解決するための手段】
【００１３】
本発明の配線具は、各々電線に連結された複数の端子を接続することにより該端子間を電気的に導通させる複数の導電部と、絶縁材料で形成され、導電部を収納する箱体と、絶縁材料で形成され、箱体の開口部を覆う蓋体とを有することを特徴とする。
【００１４】
本発明の実施形態では、蓋体は透視可能な材料から成る。また、蓋体は、端子を導電部に接続するための貫通孔を有する。更に、箱体は、端子を導電部に接続するための貫通孔を有する。電線は、ブレーカ等の充電部に接続される電線及び複数の電力量計に接続される電線である。
【００１５】
導電部は、一次側部分、二次側部分、及び前記一次側部分と前記二次側部分を接続するヒューズを有することが望ましい。
【発明の効果】
【００１６】
本発明の配線具によれば、電線に連結された複数の端子を導電部に接続するだけで、容易に端子間を電気的に導通させることができる。また、導電部が絶縁材料で形成された箱体及び蓋体で覆われるため、感電等の危険を回避することができる。
【００１７】
蓋体を透視可能な材料で形成すれば、箱体内の端子の取付け状況等が視認しやすくなり、短絡等の事故を防止できる。
【００１８】
また、蓋体が端子を前記導電部に接続するための貫通孔を有することにより、蓋体を箱体から外すことなく端子の接続等の操作を行うことができ、また、接続可能な箇所が該貫通孔の部分のみに限られるため、感電や短絡等の事故を防止できる。
【００１９】
更に、箱体が端子を前記導電部に接続するための貫通孔を有することにより、蓋体を箱体から外すことなく端子の接続等の操作を行うことができ、また接続可能な箇所が該貫通孔の部分のみに限られるため、感電や短絡等の事故を防止できる。
【００２０】
ブレーカ等の充電部に接続される電線及び複数の電力量計に接続される電線を電気的に導通させることができるため、ブレーカ等の充電部に電力量計を設置して電力使用量の推移や電力量を記録することができる。この場合においても、導電部が絶縁材料より成る箱体及び蓋体で覆われているため、感電や短絡事故等の危険性を回避することができ、電力量計の取り付け作業を安全に行うことができる。また、ブレーカが複数ある場合であっても、本発明の配線具を用いることにより、１つのブレーカの充電部にのみ電線を接続すればよいため、全てのブレーカの充電部に電線を接続していた従来の電力の計量方法よりも感電や短絡等の危険性が格段に小さくなる。
【００２１】
導電部が一次側部分と二次側部分を接続するヒューズを有することにより、二次側部分に接続された端子側において短絡が発生した場合にも、ヒューズが溶断することで一次側部分と二次側部分を遮断し、一次側部分に接続された端子側の機器を保護することができる。
【発明を実施するための最良の形態】
【００２２】
図１は、実施例の配線具１を使用し、分電盤（図示省略）内に配置された複数（例えば、３つ）のブレーカ２ａ，２ｂ，２ｃにこれと同数の携帯型の電力量計３ａ，３ｂ，３ｃを取り付けたときの状態を示す。
【００２３】
配線具１は、ブレーカ２ａ，２ｂ，２ｃの充電部に接続された電圧測定用の電線５ａ，５ｂ，５ｃと、３つの電力量計３ａ，３ｂ，３ｃに接続された電圧測定用コード７ａ，７ｂ，７ｃとを電気的に導通させる装置であり、感電や短絡事故が発生するのを防ぐため、アクリル樹脂等の透明な絶縁材料で作られた、箱体としてのケース８及び蓋体としてのカバー９を備えている。
【００２４】
ブレーカ２ａ，２ｂ，２ｃの充電部とは、電気が流れている部分のことであり、電力量計を取り付けること（電圧を測定すること）ができるように外部に露出した部分を有していることが望ましい。例えば、図のブレーカ２ａ，２ｂ，２ｃの場合、負荷側へ給電する電線１２を固定しているボルト（又はネジでもよい）１３を、電圧を測定するための充電部とすることができる。なお、各ブレーカ２ａ，２ｂ，２ｃの電源側に接続される電線１５は、分電盤内で一系統に収束するため、上記のように一つのブレーカ２ａの充電部で測定した電圧を、ほかのブレーカ２ｂ，２ｃの充電部における電圧として電力及び電力量の算出に用いることができる。そのため、本実施例の配線具１を使用することにより、各電力量計３ａ，３ｂ，３ｃでは、１つ（図１では右端）のブレーカ２ａの充電部、すなわちブレーカ２ａの負荷側に接続した３本の電線１２のうち２本の電線間の電位差を測定することができる。
【００２５】
配線具１とブレーカ２ａとを接続する電線５ａ，５ｂ，５ｃは、端子として、一端にクリップ１４、他端に凹端子１０を有しており、クリップ１４でボルト１３の頭部を挟むことでブレーカ２ａに接続される。凹端子１０は、後述のように配線具１に接続される。
【００２６】
一方、配線具１と３つの電力量計３ａ，３ｂ，３ｃとを接続する電線を含む電圧測定用コード７ａ，７ｂ，７ｃは、一端が電力量計３ａ，３ｂ，３ｃに接続され、他端には端子としてのクリップ２８を有しており、後述のように配線具１に接続される。
【００２７】
また、電力量計３ａ，３ｂ，３ｃは、各ブレーカ２ａ，２ｂ，２ｃの充電部における電力及び電力量を算出するため、上記電圧のほかに各ブレーカ２ａ，２ｂ，２ｃを流れる電流の値を測定する。具体的には、各電力量計３ａ，３ｂ，３ｃには、２本の電流測定用コード１７が接続され、各々の先端には、電線１２に流れる電流を非接触で測定可能なクランプメータ１８が接続されている。クランプメータ１８は、負荷側の電線１２のうち２本の電線に流れる電流値を測定する。
【００２８】
電力量計３ａ，３ｂ，３ｃは、測定した電圧値及び電流値に基づいて使用された電力の推移及びその積算値である電力量を算出して記録する。また、電力量計３ａ，３ｂ，３ｃは、求めた電力量を画面上に表示することができるとともに、本体に内蔵されたメモリに蓄積される構造となっている。これにより、電力使用量の推移を所定期間（例えば、１０日間）記録した後、そのデータをコンピュータに送信することにより、電力使用量の多い時間帯を確認できるグラフ等の資料を作成することができ、効率的な省電力化を図るために利用することができる。
【００２９】
図２は、配線具１の構成を示す。
【００３０】
配線具１は、各々電線に連結された複数の端子をそれぞれに接続することにより該端子間を電気的に導通させる３つの導電部２１ａ〜２１ｃと、絶縁材料で形成され、導電部を収納する箱体としてのケース８と、同じく絶縁材料で形成され、導電部を設置した箱体を覆う蓋体としてのカバー９とで構成されている。
【００３１】
ケース８は、図において上面に開口を有する箱であり、アクリル樹脂等の透明な絶縁材料より成る。そのため、誤って直接端子に触れてしまうことによる感電を防ぐことができると同時に、配線部分の接続状態を視認しやすく、端子の脱落や短絡を防ぐことができる。底部外側の四隅には、安定的に設置するための滑り止め２２を固着する。
【００３２】
３つの導電部２１ａ，２１ｂ，２１ｃは、ケース８にネジ２３で固定されている。ケース８には、後述するヒューズ２４を貫通させるヒューズ貫通孔２５と、後述する電線５ａ〜５ｃの先に設けられた凹端子１０を貫通させる凹端子貫通孔１１が設けられている。
【００３３】
カバー９は、ケース８の開口部を塞ぐ大きさの平板であり、アクリル等の透明な絶縁材料から成る。そのため、誤って直接端子に触れてしまうことによる感電を防ぐことができると同時に、配線部分の接続状態を視認しやすく、端子の脱落や短絡を防ぐことができる。カバー９は、ケース８に被せられ、ネジ２６で固定される。
【００３４】
カバー９において、ケース８の開口部分に被せた状態で導電部２１ａ〜２１ｃの上に位置する部分には、３つの導電部２１ａ〜２１ｃに対しそれぞれ５つずつ、すなわち縦３行、横５列のクリップ貫通孔２７を設ける。クリップ貫通孔２７はそれぞれ長方形の開口であり、これらにより、電線７の先に取り付けられたクリップ２８を、カバー９を外すことなく導電部２１ａ〜２１ｃに接続することができる。更に、カバー９をケース８に取り付けた状態では導電部２１ａ〜２１ｃのうちクリップ貫通孔２７のある部分以外にクリップを取り付けたり触れることはできないから、感電や短絡等の事故を防止することができる。
【００３５】
図３は、導電部２１ａと、これに接続する電線５ａ及び電圧測定用コード７ａの端子の構成を示す。なお、他の導電部２１ｂ，２１ｃは導電部２１ａと、電線５ｂ，５ｃは電線５ａと、電圧測定用コード７ｂ，７ｃは７ａと、それぞれ同じ構成であるため、ここでは、導電部２１ａ並びにこれに接続する電線５ａ及び電圧測定用コード７ａの端子について説明する。
【００３６】
導電部２１ａは銅などの導電性を有する棒もしくはパイプより成る一次側金属棒３０及び二次側金属棒３１と、それらの間にリード線３２ａ，３２ｂを介して接続したヒューズ２４とから成り、これらは台座３４ａ，３４ｂにネジ３５で取り付けられ、この台座３４ａ，３４ｂを先述のようにネジ２３でケース８に取り付けることで、３個の導電部２１ａ〜２１ｃを平行に固定する。
【００３７】
ヒューズ２４は可溶体（図示省略）を内蔵し、例えば二次側金属棒３１に接続された電力量計３ａ，３ｂ，３ｃ側で電圧測定用コード７ａ〜７ｃの挿し間違いなどにより短絡が起きてしまった際には可溶体が溶断して、一次側金属棒３０及び二次側金属棒３１間を遮断し、一次側金属棒３０に接続されたブレーカ２ａやその上位にある需要家（図示省略）を保護する役目をするものである。
【００３８】
電線５ａは、その一端に、一次側金属棒３０の外径とほぼ同一の内径を有する凹端子１０を備えており、これを一次側金属棒３０におけるヒューズ２４の接続されていない端に嵌合することで、導電部２１ａと接続する。
【００３９】
電圧測定用コード７ａの先端にはクリップ２８を有し、これを二次側金属棒３１に挟みつけることで、導電部２１ａと接続する。
【００４０】
図４は、実施例の配線具１に電線５ａ〜５ｃと電圧測定用コード７ａ〜７ｃとを接続し、分岐配線を構成した状態を示す。
【００４１】
電線５ａ〜５ｃは、その先端の凹端子１０をケース８の凹端子貫通孔１１を通してそれぞれ対応する導電部２１ａ〜２１ｃの一次側金属棒３０（図３）に嵌合する。
【００４２】
３本の電圧測定用コード７ａは、その先端のクリップ２８をカバー９のクリップ貫通孔を通して導電部２１ａ〜２１ｃの二次側金属棒３１（図３）に挟みつける。同様に電圧測定用コード７ｂ，７ｃも導電部２１ａ〜２１ｃに接続する。
【００４３】
図５は、実施例の配線具１及びそれに接続する各電線等の接続状態を示す回路図である。
【００４４】
導電部２１ａ，２１ｂ，２１ｃはそれぞれ一次側金属棒３０及び二次側金属棒３１と、それらの間にリード線３２ａ，３２ｂを介して接続されたヒューズ２４とから成り、互いに平行に設置される。
【００４５】
クリップ１４を介してブレーカ２ａの３つの充電部のボルト１３に接続された電線５ａ，５ｂ，５ｃは、導電部２１ａ，２１ｂ，２１ｃのそれぞれの一次側金属棒３０に凹端子１０により接続される。一方、電力量計３ａ，３ｂ，３ｃに接続された電圧測定用コード７ａ，７ｂ，７ｃは、クリップ２８を介して二次側金属棒３１に接続される。
【００４６】
上記のように配線具１を介して接続することより、電線５ａは電圧測定用コード７ａ〜７ｃに接続され、同様に電線５ｂ，５ｃも電圧測定用コード７ａ〜７ｃに接続されるから、ブレーカ２ａの３つの充電部からの電流はそれぞれ電力量計３ａ〜３ｃに分配される。
【００４７】
以上、実施例の配線具１とその使用方法について説明したが、電力量計の個数が３つの場合に限らず、例えば、２個でもよいし、４個又は５個でもよい。更に、クリップ貫通孔２７は５列に限定されるものではないから、これを６列以上にすれば、６個以上の電力量計に対して使用することもできる。
【００４８】
また、電圧測定用コード７ａ〜７ｃは、図１及び図４において左右端及び中央のクリップ貫通孔２７を通して接続しているが、これは例示であり、同一の導電部上であればどのクリップ貫通孔２７を使用しても同じである。
【図面の簡単な説明】
【００４９】
【図１】実施例の配線具を使用し、３つのブレーカにこれと同数の携帯型の電力量計を取り付けたときの状態を示す斜視図。
【図２】図１の配線具の構成を示す斜視図。
【図３】図１の配線具の導電部並びにこれに接続する電線及び電圧測定用コードの端子の構成を示す斜視図。
【図４】図１の配線具に各電線及びコードを接続した状態を示す斜視図。
【図５】図１の状態における配線具、ブレーカ及び電力量計の接続状態を示す回路図。
【図６】３つのブレーカにこれと同数の携帯型の電力量計を従来の方法で取り付けたときの状態を示す斜視図。
【符号の説明】
【００５０】
１…配線具、２ａ，２ｂ，２ｃ…ブレーカ、３ａ，３ｂ，３ｃ…電力量計、５ａ，５ｂ，５ｃ…電線、７ａ，７ｂ，７ｃ…電圧測定用コード、８…ケース、９…カバー、１０…凹端子、１１…凹端子貫通孔、１２，１５…電線、１３…ボルト、１４，２８…クリップ、１７…電流測定用コード、１８…クランプメータ、２１ａ〜２１ｃ…導電部、２２…滑り止め、２３，２６，３５…ネジ、２４…ヒューズ、２５…ヒューズ貫通孔、２７…クリップ貫通孔、３０…一次側金属棒、３１…二次側金属棒、３２ａ，３２ｂ…リード線、３４ａ，３４ｂ…台座。
【図１】
2007194534.tif 000003
【図２】
2007194534.tif 000004
【図３】
2007194534.tif 000005
【図４】
2007194534.tif 000006
【図５】
2007194534.tif 000007
【図６】
2007194534.tif 000008